(57)【要約】【課題】傾斜面で緩まないソーラパネル支持構造を提供する。【解決手段】  ソーラーパネルを支持する複数のクロスバー４を支持固定する主ロッド３に対して、ポール５及び筋交い８を組み合わせて固定する構造であって、中空角材からなる主ロッド体の両壁を貫通する貫通孔を設けて中空角材からなるポール５及び筋交いの相対する２辺を切欠きを設けて切欠きに主ロッドを嵌合すると共に、主ロッドに接する他の２辺にそれぞれ長貫通孔を設けて、前記主ロッドの貫通孔に挿通する螺子組６によってそれぞれ固定する。【選択図】図３
0003186643.tif 000002
【実用新案登録請求の範囲】
【請求項１】
複数の主ロッド体上に相互に交錯して組み付けられた複数のクロスバー上にソーラパネルを固定支持するソーラパネル支持構造において、
該主ロッド体の一端をポール及び筋交いを介して第１固定台上に固定支持すると共に、主ロッド体他端を螺子組で第２固定台に固定支持し、
上記主ロッド体、ポール及び筋交いをそれぞれ中空角材で構成し、
該主ロッド体の複数個所に相対する両側を貫通する貫通孔を設け
該ポール及び筋交いの相対する２辺に切欠いて前記主ロッド体を嵌合する切欠きを設けると共に他の相対する２辺を貫通する長貫通孔をそれぞれ設けて該切欠きに嵌合した主ロッドの前記貫通孔を挿通する螺子組によって固定し、
該ポール及び筋交いの他端を螺子組で前記第１固定台に固定した、
ことを特徴とするソーラパネル支持構造。
【考案の詳細な説明】
【技術分野】
【０００１】
本考案は、ポール及び筋交い上に切欠きを設け、主ロッド体下方に便利に支持でき、組み立てを更に便利にし、且つ更に安定してソーラパネルを支持固定させることができるソーラパネル支持構造に関する。
【背景技術】
【０００２】
ソーラパネルは、太陽の光エネルギーを吸収し、熱エネルギー又は電気エネルギーに変換し、日常生活で使用する電力を提供する。
一般のソーラパネルは、多くが、日照が十分な建築物の屋根、屋上又はプラットフォーム上に取り付けられるが、従来のソーラパネルを取り付けることに用いる支持構造１は、図１、図２に示すように、複数の主ロッド体１０及び複数のクロスバー１１が相互に交錯して組み立てられ、主ロッド体１０の一端には、ポール１２を設置し、該ポール１２は、該主ロッド体１０の一側面に結合されて、螺子組１３により該ポール１２及び主ロッド体１０を相互に固定設置定位し、該ポール１２の他端は、螺子組１３により第１固定台１４に螺合する。
筋交い１５の一端は、該主ロッド体１０の一側面上に結合され、螺子組１３により該筋交い１５及び主ロッド体１０を相互に固定設置定位し、該筋交い１５の他端は、螺子組によりポール１２他端の第１固定台１４に螺合し、該主ロッド体１０の他端は、螺子組１３により第２固定台１６に固定設置され、ソーラパネル２を該クロスバー１１上に設置する。
このように、該支持構造１は、ソーラパネル２を傾斜方向に支持固定できるが、従来のソーラパネルの支持構造１は、そのポール１２及び筋交い１５が主ロッド体１０の一側面上に結合して螺子組１３により螺合固定されるが、ポール１２及び筋交い１５及び主ロッド体１０の継ぎ目は、ただ単一接触面Ａにおける相互の結合のみであり、安定して主ロッド体１０を支持定位できず、震動により緩み易く、故に、ソーラパネル２を傾斜方向に安定して定位することができない。そこで、本考案者は、従来のソーラパネルの支持構造に存在する上記欠陥に鑑み、研究改良に専念し、ようやく本考案を創出した。
【先行技術文献】
【特許文献】
【０００３】
【特許文献１】特開２００２−５７３６２号公報
【考案の概要】
【考案が解決しようとする課題】
【０００４】
本考案の目的は、組み立てに便利であり、且つ更に安定してソーラパネルを支持固定できるソーラパネル支持構造を提供することにある。
【課題を解決するための手段】
【０００５】
本考案のソーラパネル支持構造は、複数の主ロッド体及び複数のクロスバーが相互に交錯して組み付けられ、該主ロッド体の相対する壁面上に複数の貫通孔を設け、該主ロッド体の一端は、螺子組でポールを固定設置し、該ポールは、螺子組で第１固定台を固定設置し、該主ロッド体は、螺子組で筋交いを固定設置し、該筋交いは、螺子組で該第１固定台上に固定設置され、該主ロッド体の他端は、螺子組で第２固定台に固定設置され、
該ポール一端の２つの壁面上に互いに対応して切欠きを設け、該ポール一端の他の２つの壁面上に互いに対応して長貫通孔を設け、該筋交いの２つの壁面上にも互いに対応して切欠きを設け、該筋交い一端の他の２つの壁面上にも互いに対応して長貫通孔を設ける。
【考案の効果】
【０００６】
本考案のソーラパネル支持構造は、複数の主ロッド体及び複数のクロスバーが相互に交錯して組み付けられ、該主ロッド体の相対する壁面上に複数の貫通孔を設け、該主ロッド体の一端は、螺子組でポールを固定設置し、該ポールは、螺子組で第１固定台を固定設置し、該主ロッド体は、螺子組で筋交いを固定設置し、該筋交いは、螺子組で該第１固定台上に固定設置され、該主ロッド体の他端は、螺子組で第２固定台に固定設置され、該ポール及び該筋交いの一端の２つの壁面上に互いに対応して切欠きを設け、該ポール及び該筋交いの一端の他の２つの壁面上に互いに対応して長貫通孔を設け、このように、より便利で安定してソーラパネルを保持固定できる。
【図面の簡単な説明】
【０００７】
【図１】従来技術の使用説明図である。
【図２】従来技術の部分組み合わせ断面図である。
【図３】本考案の実施例の立体分解図である。
【図４】本考案の実施例の立体組み合わせ図である。
【図５】本考案の実施例の部分組み合わせ断面図である。
【考案を実施するための形態】
【０００８】
本考案が上記の使用目的及び効果を達成する為に採用する技術手段について、好適実施例を挙げ、図面を参照して、以下に詳細に説明する。
【０００９】
本考案の実施例は、図３に示すように、複数の主ロッド体３及び複数のクロスバー４が相互に交錯して組み付けられ、該主ロッド体３の相対する壁面上に複数の貫通孔３０を設け、該主ロッド体３の一端にポール５を設置し、該ポール５上端の２つの壁面上に互いに対応して切欠き５０を設け、該ポール５上端の他の２つの壁面上に長貫通孔５１を対応して設け、該長貫通孔５１内に螺子組を貫通設置し、該螺子組６は、ボルト６０、ガスケット６１、弾性ワッシャー６２及びナット６３から構成され、該螺子組６のボルト６０は、該主ロッド体３一端部の相対する貫通孔３０内に貫通設置される。
該ポール５下端の２つの壁面上に貫通孔５２を互いに対応して設け、２つの第２固定台７は、該ポール５下端の二側に対応して設けられ、該第１固定台７は、Ｌ形を呈し、該第１固定台７の垂直面に２つの長貫通孔７０を設け、該２つの長貫通孔７０内にそれぞれ螺子組６をそれぞれ貫通設置し、該螺子組６により該第１固定台７を該ポール５の下端に固定設置され、該第１固定台７の水平面に２つの貫通孔７１を設ける。
筋交い８の一端は、該主ロッド体３の下方に設けられ、該筋交い８一端の２つの壁面上に切欠き８０を互いに対応して設け、該筋交い８一端の他の２つの壁面上に長貫通孔８１を互いに対応して設け、該長貫通孔８１内に螺子組６を貫通設置し、該螺子組６により該筋交い８の一端を該主ロッド体３の下方に固定設置し、該筋交い８の他端の２つの壁面上に貫通孔８２を互いに対応して設け、該貫通孔８２は、該第１固定台７のもう１つの長貫通孔７０に対応し、螺子組６により該第１固定台７の長貫通孔７０及び該筋交い８の貫通孔８２内に貫通設置され、該筋交い８の他端を該第１固定台７上に固定設置し、該主ロッド体３の他端の二側は、螺子組６により第２固定台９に固定設置し、このようにしてソーラパネル支持構造を構成する。
【００１０】
組み立て使用時、図３〜図５に示すように、該ポール５の一端を該主ロッド体３の下方に設け、該主ロッド体３を該ポール５一端の切欠き５０内に設け、該主ロッド体３一端の貫通孔３０を該ポール５一端の長貫通孔５１と相互に位置合わせし、螺子組６のボルト６０を該相互に位置合わせした長貫通孔５１及び貫通孔３０内に穿合し、ガスケット６１及び弾性ワッシャー６２を該ボルト６０上に被せ設け、ナット６３を該ボルト６０上に螺合し、該ポール５の一端を該主ロッド体３の下方に固定設置し、該主ロッド体３の一端を上向きに支持定位し、筋交い８の一端を該主ロッド体３の下方に設け、該主ロッド体３を該筋交い８一端の切欠き８０内に設置させ、該主ロッド体３上のうち１つの貫通孔３０を筋交い８一端の長貫通孔８１と互いに位置合わせし、螺子組６のボルト６０により該互いに位置合わせした長貫通孔８１及び貫通孔３０内に穿合し、該筋交い８を該主ロッド体３の下方に固定設置し、また、２つの第１固定台７を該ポール５の他端（即ち、下端）及び該筋交い８他端の二側に相対設置し、螺子組６により２つの第１固定台７を該ポール５及び該筋交い８の他端の二側に固定設置し、該主ロッド体３の他端上に螺子組６により２つの相対設置した第２固定台９を固定設置し、このように、ソーラパネル支持構造に便利且つ迅速に組み立てることができ、ソーラパネル２を該支持構造のクロスバー４上に組み付けることができる。本考案は、ポール５及び筋交い８の一端上に切欠き５０，８０を設けることにより、主ロッド体３を該切欠き５０，８０内に安置でき、該ポール５及び該筋交い８に主ロッド体３を保持定位させることができ、ポール５及び筋交い８と主ロッド体３との接触面積を増加することができ、更に、螺子組６によりロックし、該ポール５及び該筋交い８を主ロッド体３の下方に安定して固定し、緩み、震動することがなく、且つ該ポール５及び筋交い８上に長貫通孔５１，８１を設け、主ロッド体３上の貫通孔３０に便利に位置合わせさせることができ、螺子組６の貫通設置に便利であり、組み立てをより便利にし、主ロッド体３の傾斜角度を便利に微調整させ、且つ全体の組み立て後の支持構造がソーラパネル２を安定して支持固定することができる。
【００１１】
上記のように、本考案は、予期する使用目的及び効果を確実に達成し、且つ従来技術に比較し、より利用的で実用的である。なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１２】
＜従来技術＞
１０  主ロッド体
１１  クロスバー
１２  ポール
１３  螺子組
１４  第１固定台
１５  筋交い
１６  第２固定台
２  ソーラパネル
Ａ  接触面
＜本考案＞
３  主ロッド体
３０  貫通孔
４  クロスバー
５  ポール
５０  切欠き
５１  長貫通孔
５２  貫通孔
６  螺子組
６０  ボルト
６１  ガスケット
６２  弾性ワッシャー
６３  ナット
７  第１固定台
７０  長貫通孔
７１  貫通孔
８  筋交い
８０  切欠き
８１  長貫通孔
８２  貫通孔
９  第２固定台
【図１】
0003186643.tif 000003
【図２】
0003186643.tif 000004
【図３】
0003186643.tif 000005
【図４】
0003186643.tif 000006
【図５】
0003186643.tif 000007